(57)【要約】【課題】  利用者が所有する可搬性の表示記憶装置に表示されている内容を、簡易な方法によって書き込むことができる表示装置及び表示システムを提供する。【解決手段】  予め表示記憶装置１の表示部１１に情報を表示させるとともに、その表示した情報そのもの、あるいはその情報を特定する情報をデジタル情報として記憶部１２に格納しておく。表示記憶装置１を表示装置２にかざすと、表示記憶装置１内の記憶部１２に格納されているデジタル情報が通信部１３から発信され、表示装置２の情報取得部２１がデジタル情報を取得する。判別部２２がデジタル情報により表示部２４の表示内容を書き換えると判定すれば、表示制御部２３は、表示部２４の表示画面中の書き換え領域を決定し、その書き換え領域の表示内容をデジタル情報で書き換え、表示内容を変更する。【選択図】  図１
2005044307.tif 000002
【特許請求の範囲】
【請求項１】
表示媒体と該表示媒体に表示されている情報または該情報を特定する情報がデジタル情報として書き込まれた記憶手段と該記憶手段に書き込まれている前記デジタル情報を外部へ送信する通信手段を備えた可搬性表示記憶装置と、入力されたデジタル情報に基づく表示が可能な前記可搬性表示記憶装置とは異なる表示装置とを用いた表示システムであって、前記表示装置は、表示手段と、前記可搬性表示記憶装置の前記通信手段を介して前記デジタル情報を受け取る情報取得手段と、前記情報取得手段で受け取った前記デジタル情報に従って前記表示手段の表示内容の全部もしくは一部を変更する制御を行う表示制御手段を有することを特徴とする表示システム。
【請求項２】
前記表示装置は、さらに前記情報取得手段で取得した前記デジタル情報に基づいて前記表示手段に表示されている内容を変更するか否かを判別する判別手段を有し、前記表示制御手段は、前記判別手段によって変更するものであると判別された場合に前記表示内容を変更する制御を行うことを特徴とする請求項１に記載の表示システム。
【請求項３】
前記判別手段は、前記デジタル情報と前記表示手段に表示している内容の全部または一部との比較によって前記表示手段に表示された内容を変更するか否かを判別することを特徴とする請求項２に記載の表示システム。
【請求項４】
前記表示装置の表示手段には１ないし複数のデジタル情報が表示可能であり、前記判別手段は、前記表示手段に表示されているデジタル情報のうちの少なくとも１つが表示してから所定時間以上経過している場合に当該デジタル情報に対応する表示内容を変更するものと判別することを特徴とする請求項２に記載の表示システム。
【請求項５】
前記可搬性表示記憶装置の記憶手段には使用者情報が書き込まれており、前記判別手段は、前記使用者情報に従って表示内容を変更するか否かを判別することを特徴とする請求項２に記載の表示システム。
【請求項６】
前記表示装置は、さらに表示位置の指定を受け付ける表示位置設定手段を有し、前記表示制御手段は、前記表示位置設定手段が受け付けた表示位置の指定に従って前記表示手段の表示内容を変更する領域を決定することを特徴とする請求項１ないし請求項５のいずれか１項に記載の表示システム。
【請求項７】
前記表示位置設定手段は、複数の操作ボタンにより構成されていることを特徴とする請求項６に記載の表示システム。
【請求項８】
前記可搬性表示記憶装置の記憶手段には表示位置を指定する位置指定情報が書き込まれていて前記デジタル情報とともに前記表示手段に転送され、前記表示手段の前記表示位置設定手段は、前記可搬性表示記憶装置から送られてきた前記位置指定情報により表示位置の指定を受け付けることを特徴とする請求項６に記載の表示システム。
【請求項９】
前記表示位置設定手段は、前記可搬性表示記憶装置が近接していることを検出する複数の検出手段を含み、前記検出手段による検出結果を前記表示位置の指定として受け付けることを特徴とする請求項６に記載の表示システム。
【請求項１０】
前記情報取得手段が複数設けられ、前記表示位置設定手段の前記検出手段を兼用することを特徴とする請求項９に記載の表示システム。
【請求項１１】
前記情報取得手段が複数設けられ、前記表示制御手段は、前記可搬性表示記憶装置から前記デジタル情報を受け取った前記情報取得手段に応じて表示制御を行うことを特徴とする請求項１ないし請求項１０のいずれか１項に記載の表示システム。
【請求項１２】
情報を表示するとともに該情報または該情報を特定する情報をデジタル情報として記憶している可搬性表示記憶装置が表示している情報を表示する表示装置であって、表示手段と、前記可搬性表示記憶装置から前記デジタル情報を受け取る情報取得手段と、前記情報取得手段で受け取った前記デジタル情報に従って前記表示手段の表示内容の全部もしくは一部を変更する制御を行う表示制御手段を有することを特徴とする表示装置。
【請求項１３】
さらに、前記情報取得手段で取得した前記デジタル情報に基づいて前記表示装置に表示されている内容を変更するか否かを判別する判別手段を有し、前記表示制御手段は、前記判別手段によって変更するものであると判別された場合に前記表示内容を変更する制御を行うことを特徴とする請求項１２に記載の表示装置。
【請求項１４】
前記判別手段は、前記デジタル情報と前記表示手段に表示している内容の全部または一部との比較によって前記表示装置に表示された内容を変更するか否かを判別することを特徴とする請求項１３に記載の表示装置。
【請求項１５】
前記表示手段には複数のデジタル情報が表示可能であり、前記判別手段は、前記表示手段に表示されているデジタル情報のうちの少なくとも１つが表示してから所定時間以上経過している場合に当該デジタル情報に対応する表示内容を変更するものと判別することを特徴とする請求項１３に記載の表示装置。
【請求項１６】
前記情報取得手段は、前記可搬性表示記憶装置から使用者情報についても受け取り、前記判別手段は、前記使用者情報に従って表示内容を変更するか否かを判別することを特徴とする請求項１３に記載の表示装置。
【請求項１７】
さらに、表示位置の指定を受け付ける表示位置設定手段を有し、前記表示制御手段は、前記表示位置設定手段が受け付けた表示位置の指定に従って前記表示手段の表示内容を変更する領域を決定することを特徴とする請求項１２ないし請求項１６のいずれか１項に記載の表示装置。
【請求項１８】
前記表示位置設定手段は、複数の操作ボタンにより構成されていることを特徴とする請求項１７に記載の表示装置。
【請求項１９】
前記情報取得手段は、前記可搬性表示記憶装置から表示位置を指定する位置指定情報を前記デジタル情報とともに受け取り、前記表示位置設定手段は、前記情報取得手段で受け取った前記位置指定情報により表示位置の指定を受け付けることを特徴とする請求項１７に記載の表示装置。
【請求項２０】
前記表示位置設定手段は、前記可搬性表示記憶装置が近接していることを検出する複数の検出手段を含み、前記検出手段による検出結果を前記表示位置の指定として受け付けることを特徴とする請求項１７に記載の表示装置。
【請求項２１】
前記情報取得手段が複数設けられ、前記表示位置設定手段の前記検出手段を兼用することを特徴とする請求項２０に記載の表示装置。
【請求項２２】
前記情報取得手段が複数設けられ、前記表示制御手段は、前記可搬性表示記憶装置から前記デジタル情報を受け取った前記情報取得手段に応じて表示制御を行うことを特徴とする請求項１２ないし請求項２１のいずれか１項に記載の表示装置。
【発明の詳細な説明】
【技術分野】
【０００１】
本発明は、情報を表示可能な可搬性の表示記憶装置に表示されている内容を別の表示装置に表示させる技術に関するものである。
【背景技術】
【０００２】
従来より公共の場においては多くの案内板や掲示板などの表示がなされている。このうち、内容の変更が必要なものについては、例えば紙を張り替えていた。しかし、紙の張り替えには手間と時間を要していた。
【０００３】
近年では、内容の変更が必要な表示には、各種の表示装置が利用されるようになってきた。このような多くの人が目にする内容を表示するための表示装置では、表示内容を変更する際には別に設けられた管理端末を用いて行っている。最近ではネットワークなどを用いてコンピュータから書き換え情報を表示装置へ送り、表示内容を書き換えるものもある。
【０００４】
一方、簡易な掲示板、案内板といった書き換えを多数の人が行う表示板も多く利用されている。このような表示板の場合、管理端末では表示書き換えには手順、熟練、操作の習得を必要とするケースが少なくない。また、書き換え用の別のコンピュータを多数の人が利用できることはほとんどない。従って、多くの人が手軽に書き換え可能な表示装置が要求されている。
【０００５】
また一方、例えば特許文献１に記載されているように、複数の表示領域と、その表示領域ごとに非接触ＩＣカードとの通信を行う情報要求部を設けた表示装置が考えられている。この表示装置の情報要求部に、非接触ＩＣカードを備えたＰＤＡをかざすと、そのかざされた情報要求部に対応する表示領域に表示された内容の詳細が表示装置の別の通信機能によって表示装置からＰＤＡに転送される。これによって表示されている内容の詳細情報をＰＤＡで参照することができる。しかしこの表示装置では、表示装置からＰＤＡへの情報の転送は行われるものの、表示装置に表示されている内容を書き換えることはできない。また、ＰＤＡに非接触ＩＣカードを設ける必要があるため、ＰＤＡが高価となってしまう。
【０００６】
また例えば特許文献２には、航空チケット、イベントチケットに電子タグを添付し、管理側が電子タグを持った乗客、観客の所在から、利用者の携帯機器に正しい座席や道順などを表示する情報表示システムが記載されている。この場合も、管理側のホストコンピュータから利用者の携帯機器への情報の転送と表示を行うのみであり、利用者の携帯機器に表示されている内容を他の表示装置へ表示させる機能はない。
【特許文献１】特開２００３−８５６５９号公報
【特許文献２】特開２００２−６３３０１号公報
【発明の開示】
【発明が解決しようとする課題】
【０００７】
本発明は、上述した事情に鑑みてなされたもので、利用者が所有する可搬性の表示記憶装置に表示されている内容を、簡易な方法によって書き込むことができる表示装置及び表示システムを提供することを目的とするものである。
【課題を解決するための手段】
【０００８】
本発明では、利用者は、表示媒体と、その表示媒体に表示されている情報または該情報を特定する情報がデジタル情報として書き込まれた記憶手段と、その記憶手段に書き込まれているデジタル情報を外部へ送信する通信手段を備えた可搬性表示記憶装置を用いる。そして、その可搬性表示記憶装置を表示装置にかざせば、可搬性表示記憶装置に表示されていた表示内容を表示装置に表示させることができる。このように可搬性表示記憶装置をかざすという非常に簡易な方法によって表示装置が表示する内容を書き換えることが可能である。
【０００９】
そのような可搬性表示記憶装置が表示されている内容を表示する表示装置は、表示手段と、可搬性表示記憶装置からデジタル情報を受け取る情報取得手段と、情報取得手段で受け取った前記デジタル情報に従って表示手段の表示内容の全部もしくは一部を変更する制御を行う表示制御手段を有することを特徴としている。このような構成によって、上述の可搬性表示記憶装置の通信手段から送られてくるデジタル情報を受け取って表示手段に表示することができ、可搬性表示記憶装置に表示されている内容を表示装置に書き込んで表示させることができる。
【００１０】
なお、表示装置にはさらに、情報取得手段で取得したデジタル情報に基づいて表示手段に表示されている内容を変更するか否かを判別する判別手段を設け、変更すると判別された場合に表示内容を変更するように構成することができる。例えば、受け取ったデジタル情報と表示手段に表示している内容の全部または一部とを比較することによって、可搬性表示記憶装置の表示内容が変更されている場合に、表示装置の表示手段が表示する内容を変更するように構成することができる。また、例えば表示装置の表示手段に表示されている時間を判断し、所定時間以上経過している場合には書き換えを行うものと判定することができる。さらに、可搬性表示記憶装置の使用者のチェックなどを判定条件とすることもできる。
【００１１】
また表示装置には、さらに表示位置の指定を受け付ける表示位置設定手段を設け、この表示位置設定手段が受け付けた表示位置の指定に従って、表示手段の表示内容を変更する領域を決定して、その領域の表示内容を書き換えるように構成することができる。これによって、表示装置が表示している領域のうちのどの部分を書き換えるかを任意に指定することができ、全部または一部分の書き換えなどを含め、利用者が指示することができる。このような表示位置設定手段としては、複数の操作ボタンにより構成したり、可搬性表示記憶装置から位置指定情報として受け取ったり、あるいは可搬性表示記憶装置が近接していることを検出する複数の検出手段を設けて、その検出手段による検出結果を表示位置の指定として受け付けるように構成することができる。
【００１２】
さらに表示装置においては、情報取得手段を複数設けておき、いずれの情報取得手段が可搬性表示記憶装置からデジタル情報を受け取ったかに応じて表示制御を行うように構成することができる。例えばそれぞれの情報取得手段に対して使用できる利用者を限定しておいたり、ジャンルを特定して表示の変更に対応する等といった利用が考えられる。また、複数の情報取得手段を上述の表示位置設定手段の検出手段として利用することもできる。これによって、それぞれの情報取得手段に対応した表示領域の書き換えが可能である。
【発明の効果】
【００１３】
本発明によれば、可搬性の表示記憶装置を表示装置にかざすなどの直接的かつ簡易な操作によって、表示装置の表示内容を変更することができる。従って、不慣れなユーザでも表示装置における表示内容の書き換えを容易に行うことができ、不特定多数のユーザによる操作が可能となるという効果がある。
【発明を実施するための最良の形態】
【００１４】
図１は、本発明の表示システム及び表示装置の実施の一形態を示すブロック図、図２は、同じく利用態様の一例の説明図である。図中、１は表示記憶装置、２は表示装置、１１は表示部、１２は記憶部、１３は通信部、２１は情報取得部、２２は判別部、２３は表示制御部、２４は表示部、２５は表示位置設定部である。本発明の表示システムは、可搬性を有する表示記憶装置１を本発明の表示装置２にかざすことによって、表示記憶装置１に表示されている内容を表示装置２に表示させるものである。
【００１５】
表示記憶装置１は、表示機能とともにデジタル情報を記憶する機能を有し、記憶しているデジタル情報を外部とやりとりする機能を有するものであり、そのような機能を有していればどのような装置であってもよい。一例としては、表示部１１として説明する各種の表示媒体に非接触ＩＣメモリを搭載したものが好ましいが、そのほかにも種々の携帯端末等であってもよい。表示記憶装置１は、上述の機能を実現する表示部１１、記憶部１２、通信部１３等を含んで構成される。
【００１６】
表示部１１は、可搬性を有する表示記憶装置１において情報を表示する表示媒体である。この表示媒体としては、書き換え可能でメモリ性を有するものを用いることができる。例えばトナーディスプレイや、電気泳動型、光書き込み型の電子ペーパー、液晶ディスプレイ、フォトクロミックディスプレイなど、種々の表示方式の表示媒体を用いることができる。
【００１７】
記憶部１２は、各種の情報を記憶することができ、その一つとして表示部１１に表示されている情報またはその情報を特定する情報がデジタル情報として書き込まれ、記憶している。このほかにも、例えば表示記憶装置１を識別するためのＩＤ情報や、この表示記憶装置１を使用する人の使用者情報などを書き込んで記憶させておくことができる。
【００１８】
通信部１３は、外部の装置と通信を行い、記憶部１２に書き込まれている情報、例えば上述のデジタル情報等を外部へ送信する。この通信部としては種々の通信方式を利用することができ、例えば電気的に接続されるインタフェースを用いてもよいし、電磁気的あるいは可視光または赤外線などによる非接触のインタフェースなどを用いることができる。例えば非接触ＩＣを用いる場合、記憶部１２と通信部１３が一体となったものと考えることができる。この場合の通信方式としてはＩＳＯ１４４４３，ＩＳＯ１５６９３にて規格化されているような１３．５６ＭＨｚの通信周波数、あるいは２．４ＧＨｚ帯、赤外線、１２５ｋＨｚ、４．９ｋＨｚなど、いずれの周波数を用いてもよい。もちろん、これらに限られるものではない。なお、図２に示した例は、このように記憶部１２及び通信部１３となる非接触ＩＣを搭載した例を示している。
【００１９】
表示装置２は、例えば多くの人によって参照され、共用される装置であり、表示機能を有するが表示記憶装置１とは異なる表示装置である。特にここでは表示装置２として据え置き型の大型の表示装置を想定している。この例では表示装置２は、情報取得部２１、判別部２２、表示制御部２３、表示部２４、表示位置設定部２５などを含んで構成されている。
【００２０】
情報取得部２１は、表示記憶装置１の通信部１３と通信して、表示記憶装置１からデジタル情報等、表示記憶装置１に記憶されている各種の情報を受け取る。通信方式は上述の表示記憶装置１の通信部１３と同じ通信方式である。もちろん、複数の通信方式に対応していてもよい。また、この情報取得部２１を複数設けておくこともできる。図２に示す例では、情報取得部２１を１つ設けた例を示している。
【００２１】
判別部２２は、情報取得部２１で取得したデジタル情報に基づいて表示部２４に表示されている内容を変更するか否かを判別する。例えば、情報取得部２１で取得したデジタル情報と、表示部２４に表示している内容の全部または一部とを比較し、異なっていれば表示部２４の表示を変更するものと判別することができる。これによって表示内容を常に最新の情報に書き換えることができる。あるいは、表示部２４に表示を開始してから所定時間以上経過していれば、表示部２４の表示を変更するものと判別することができる。これによって、表示している内容を所定時間以上は表示させ続けることができる。または、情報取得部２１で表示記憶装置１から使用者情報を取得し、その使用者情報に従って表示部２４の表示を変更するか否かを判別することもできる。これによって書き込みを行う使用者の権限をチェックしたり、あるいは、複数の内容が表示されている場合にいずれの表示内容を変更するかなどをチェックすることができる。判別部２２で判別する内容はこれらに限られるものではなく、種々の条件を設定することができる。また、このような条件の判別を行わない構成では、この判別部２２を設けずにすべて表示部２４の表示内容を変更するものとして扱うこともできる。
【００２２】
表示制御部２３は、情報取得部２１で受け取り、表示部２４の表示内容を変更するものとしたデジタル情報について、そのデジタル情報に従って表示部２４の表示内容の全部もしくは一部を変更する制御を行う。表示部２４の表示内容のうち、変更する領域については表示位置設定部２５で受け付けた表示位置の指定に従う。表示位置設定部２５を設けない場合には、所定の条件に従って表示位置を決めることができる。所定の条件としては、例えば表示内容のジャンルや使用者などに応じて表示位置を決定したり、情報取得部２１が複数設けられている場合にはいずれの情報取得部２１でデジタル情報を受け取ったかなどの条件が考えられる。表示位置としては、表示部２４の表示画面の一部分の位置だけでなく、表示画面全部を指示する場合も含むものである。
【００２３】
表示部２４は、表示制御部２３による制御に従って各種の情報を表示することができる。表示部２４には、複数のデジタル情報が表示可能であり、もちろん、１つのデジタル情報について全面表示することも可能である。表示部２４として用いる表示方式は任意であり、ＣＲＴ、ＬＣＤ、プラズマディスプレイなど、各種の表示方式を採用することができる。
【００２４】
表示位置設定部２５は、表示記憶装置１に表示されている内容を表示部２４に表示する際の表示位置の指定を受け付ける。図２においては表示位置設定部２５を設けていないが、以降の例においていくつかの態様を示している。例えば表示位置の指定を利用者が行うための複数の操作ボタンにより構成することができる。あるいは、表示記憶装置１から表示位置を指定する位置指定情報を受け取り、その位置指定情報により表示位置の指定の受け付けとすることもできる。または、表示記憶装置１が近接していることを検出する複数のセンサを設け、これらのセンサによる検出結果を表示位置の指定として受け付けることもできる。さらに、情報取得部２１が複数設けられている場合には、情報取得部２１による表示記憶装置１との通信成功などによる検出結果を表示位置設定部２５による表示位置の指定として受け付けるように構成してもよい。この場合、表示位置設定部２５は情報取得部２１を兼用することになる。もちろん、図２に示すように表示位置設定部２５を設けない構成も可能である。この場合には表示制御部２３で表示位置を決定すればよい。
【００２５】
図３は、本発明の表示システム及び表示装置の実施の一形態における動作の一例を示すフローチャートである。Ｓ３１において、予め表示記憶装置１の表示部１１に情報を表示させるとともに、その表示した情報そのもの、あるいはその情報を特定する情報をデジタル情報として記憶部１２に格納しておく。この状態で利用者は表示記憶装置１に情報を表示したまま、表示記憶装置１を携行することができる。
【００２６】
Ｓ３２において、表示装置２において情報取得部２１を起動しておく。もちろん、常時、情報取得部２１が起動されている場合には、Ｓ３２は不要である。Ｓ３３において、Ｓ３１で情報が表示されている表示記憶装置１を表示部２の情報取得部２１に近づけ、あるいは接続する。すると、表示記憶装置１内の記憶部１２に格納されているデジタル情報が通信部１３から発信される。この発信されたデジタル情報を表示装置２の情報取得部２１が読み取る。
【００２７】
Ｓ３４では、情報取得部２１で取得したデジタル情報に基づき、判別部２２が表示部２４の表示内容を書き換えるか否かを判定する。この判定は、例えば上述のように、情報取得部２１で取得したデジタル情報が表示部２４にすでに表示している内容であるか否かや、表示部２４に表示している内容のうち、所定時間以上表示したものがあるか否か、あるいは、表示記憶装置１の利用者の表示書き換えの権限の有無など、種々の判定を行うことができる。表示部２４の表示内容を書き換えない場合には、そのまま処理を終える。
【００２８】
判別部２２による判別の結果、表示部２４の表示内容を書き換えるとした場合には、Ｓ３５において、表示制御部２３は、表示部２４の表示画面中の書き換え領域を決定し、さらにＳ３６においてＳ３５で決定した書き換え領域の表示内容をＳ３３で取得したデジタル情報で書き換え、表示内容を変更する。
【００２９】
例えば、図２に示した例においては、表示記憶装置１として電子ペーパーなどの表示媒体に、記憶部１２及び通信部１３となる非接触ＩＣを搭載している場合、予め表示媒体に情報を表示させるとともに、その情報そのものあるいはその情報を特定する情報をデジタル情報として非接触ＩＣに書き込んでおく。そして、このような表示記憶装置１を表示装置２の情報取得部２１に近づけることによって、表示記憶装置１の通信部１３と表示装置２の情報取得部２１とが通信を行い、非接触ＩＣに書き込まれているデジタル情報が表示装置２に転送される。表示装置２では、転送されたデジタル情報に基づいて、表示を書き換えるか否かを判別した後、書き換える場合には、表示記憶装置１から転送されてきたデジタル情報によって表示部２４の表示内容を変更する。
【００３０】
このようにして、表示記憶装置１に表示されていた情報が表示装置２の表示部２４に表示され、可搬性の表示記録装置１から表示装置２への表示内容の転写を容易に行うことができる。これを応用して、表示記憶装置１を表示装置２に対する画像書き換えのためのインタフェースとして用いることができる。
【００３１】
なお、表示記憶装置１から受け取ったデジタル情報が、表示すべき情報が格納されているアドレスなどの間接的な情報である場合には、表示装置２は例えばネットワークなどを含む通信路を通じて表示する情報を取得すればよい。また、例えば表示記憶装置１から受け取ったデジタル情報が、表示記憶装置１を特定するＩＤ情報であり、そのＩＤ情報と当該表示記憶装置１が表示している情報とを対応づけるデータベースが存在するような場合も、表示装置２は、ＩＤ情報によりデータベースを検索して、表示すべき情報を取得すればよい。
【００３２】
また、図２に示した例では、表示を書き換える位置について特定していないが、例えば、新たなデジタル情報を書き込む毎に表示領域を順に移動させたり、単にデジタル情報の書き込み毎に異なる表示領域に書き込むなどといった、簡単な規則に従って表示を変更してゆくことができる。または、例えばそれぞれの表示内容毎に表示の継続時間を設定しておき、その継続時間を満了している表示内容が表示されていた領域を書き換え可能な領域として利用することも考えられる。これらの例のように、表示装置２において予め書き換えの規則を設定しておき、その規則に沿って表示領域を書き換えてゆくことができる。
【００３３】
上述の例は表示装置２において書き換える表示領域を設定する例であるが、例えば表示記憶装置１から表示領域の指定を行うこともできる。例えば表示記憶装置１の記憶部１２に予め書き換える表示領域を指定する位置指定情報を書き込んでおく。そして、デジタル情報とともに位置指定情報を表示装置２へ転送して、表示位置設定部２５が位置指定情報に従って表示を書き換える領域を特定することができる。図２に示した例では、例えば右上の表示内容は天気情報であり、表示記憶装置１が天気情報の表示を書き換えようとする場合には、表示記憶装置１に表示装置２の表示部２４の右上を指定する位置指定情報を書き込んでおけばよい。
【００３４】
このような位置指定情報の一例として、全面を指定することも可能である。図４は、位置指定情報として全面を指定した場合の表示装置の表示部における表示画面の一例の説明図である。位置指定情報として全面を指定した場合には、図４（Ａ）に示すように複数の内容が表示されていた場合でも、全面が新たなデジタル情報に従って書き換えられ、図４（Ｂ）に示すような全面表示が行われることになる。
【００３５】
図５は、ユーザが位置指定を行う場合の表示装置の一例の説明図である。図中、４１は表示位置設定ボタンである。図中の破線で囲んだ部分には、表示位置設定部２５に対応する表示位置設定ボタン４１が並べられており、表示装置２の表示を書き換える際にユーザが書き換える表示領域に対応する表示位置設定ボタン４１を操作する。これにより、操作された表示位置設定ボタン４１に対応する表示領域が書き換えられることになる。図５においては、表示位置設定ボタン４１の例として、上段、中段、下段の各２枚分、右上、移動、削除、全画面などが設けられている。もちろんこれらに限られるものではなく、それぞれの部分的な表示領域毎に表示位置設定ボタン４１を設けたり、上４枚、下４枚などのボタンを設けてもよい。図５では、全面ボタンが操作されたものとして、全面表示が行われた例を示している。
【００３６】
なお、移動ボタンは、表示されているそれぞれの表示内容を１つずつずらすことを指示するボタンであり、これによって表示位置を変更することができる。また、削除ボタンは、所定の位置の表示内容（例えば右上に表示されている内容など）を削除して表示しないようにすることを指示するボタンである。このような各種の機能のボタンを設けることもできる。
【００３７】
図６は、情報取得部を複数設けた表示装置の一例の説明図である。図６に示す例では、表示装置２の表示部２４における分割された各表示領域毎に情報取得部２１を設け、さらに、全面表示及び削除のための情報取得部２１を設けた例を示している。例えば情報取得部２１が電磁波などの非接触による通信を行う構成の場合、情報取得部２１を複数設けることによって確実に通信を行うことができるように構成することができる。
【００３８】
さらに、このような情報取得部２１を各表示領域と対応づけることによって、情報取得部２１を表示位置設定部２５の表示位置設定に用いることができる。すなわち、ユーザは表示記憶装置１を書き換えたい表示領域（望ましくはその表示領域に対応する情報取得部２１）に近づけることによって、近づけられた表示記憶装置１に近い情報取得部２１が表示記憶装置１と通信を行うことになる。この表示記憶装置１と通信を行った情報取得部２１に対応する表示領域を表示位置として設定すればよい。なお、図６中に全面と記した情報取得部２１に表示記憶装置１が近づけられた場合には、表示領域として全面を設定する。また、削除と記した情報取得部２１に表示記憶装置１が近づけられた場合には、表示画面の消去を行い、表示記憶装置１から取得したデジタル情報の表示は行わない。
【００３９】
このように、情報取得部２１を複数設けることによって、いずれの情報取得部２１に表示記憶装置１が近づけられたかに応じて、書き換える表示領域を設定することができる。なお、この例では情報取得部２１を複数設けたが、例えば情報取得部２１は表示領域に対応させずに１ないし複数設け、表示領域に対応したセンサを別途設けて表示記憶装置１が近づけられた位置を検出するように構成してもよい。同様に、例えば表示記憶装置１の位置を検出する位置検出手段を設け、表示記憶装置１の表示画面上の位置から、書き換えるべき表示領域を設定するように構成することもできる。
【００４０】
このような構成では、表示記憶装置１を、表示位置を設定するためのインタフェースとして利用することができる。ユーザは、表示させたい位置に表示記憶装置１を近づけるという、直接的な動作によって容易に表示領域の設定を行うことができる。
【００４１】
もちろん、書き換える表示領域の設定方法はこれらの例に限られることはなく、種々の設定方法を適用することができる。なお、上述の各例においては、表示装置２の表示部２４の表示画面を６分割した例をもとに説明しているが、分割数は６分割に限られないし、分割された表示領域の形状も任意である。また、すべてが同じ大きさに分割されている必要もないし、分割の仕方をその時々で変更可能に構成されていてもよい。例えば表示記憶装置１から送られてくるデジタル情報を表示する際の大きさが異なる場合には、それぞれの表示サイズに応じた表示領域の分割を行うことが考えられる。
【００４２】
さらに本発明においては、上述のように表示記憶装置１に表示された内容を表示装置２に転写する機能とともに、逆に表示装置２に表示されている内容を表示記憶装置１へ転写する機能も搭載することができる。図７は、表示装置から表示記憶装置への表示内容の転写の一例の説明図である。上述のように、表示記憶装置１の通信部１３と表示装置２の情報取得部２１が通信を行う。このとき、表示装置２の情報取得部２１から表示記憶装置１の通信部１３へ、表示部２４で表示している内容をデジタル情報として送信すればよい。デジタル情報を受け取った表示記憶装置１では、通信部１３で受け取ったデジタル情報を記憶部１２に格納するとともに、表示部１１の表示内容を書き換えればよい。あるいは、例えば光書き込み型の電子ペーパーのように、表示記憶装置１自体では書き換え機能を有しない場合には、表示記憶装置１の表示部１１を書き換えるために表示装置２の表示光を用いるなど、表示記憶装置１以外の装置が必要な場合もある。
【００４３】
なお、表示装置２の表示部２４に複数の内容が表示されている場合、いずれの表示内容を表示記憶装置１へ転送するかは、予めユーザが指定したり、あるいは所定の条件などを用いて決定することができる。あるいは、表示記憶装置１からジャンルなどの内容を特定する情報や、上述の位置指定情報を受け取り、それらの情報に従って転送すべき表示内容を決定するように構成することが考えられる。
【００４４】
例えば多数のユーザが共用の表示装置２に表示されている内容から、欲しい情報を自分の表示記憶装置１に転写して持ち帰るといった利用が可能である。予め表示記憶装置１に表示する内容を特定する情報を書き込んでおけば、常に同種の情報であって、最新の情報を取得して表示記憶装置１に表示させて携行することが可能である。
【００４５】
このような表示装置２から表示記憶装置１への表示内容の転写を可能とすることによって、表示記憶装置１と表示装置２との間で双方向の表示内容の転写を行うことができる。これによって、表示装置２の表示内容を書き換える場合も、表示装置２の表示内容を写し取る場合も、ともに表示記憶装置１を用いて行うことができる。例えば、図示したように表示装置２で各種の情報を提供する場合に限らず、伝言板のようにあるユーザが伝言内容を書き込み、別のユーザがその伝言内容を写し取ってゆくといった利用も可能であり、種々の用途が見込まれる。
【図面の簡単な説明】
【００４６】
【図１】本発明の表示システム及び表示装置の実施の一形態を示すブロック図である。
【図２】本発明の表示システム及び表示装置の実施の一形態における利用態様の一例の説明図である。
【図３】本発明の表示システム及び表示装置の実施の一形態における動作の一例を示すフローチャートである。
【図４】位置指定情報として全面を指定した場合の表示装置の表示部における表示画面の一例の説明図である。
【図５】ユーザが位置指定を行う場合の表示装置の一例の説明図である。
【図６】情報取得部を複数設けた表示装置の一例の説明図である。
【図７】表示装置から表示記憶装置への表示内容の転写の一例の説明図である。
【符号の説明】
【００４７】
１…表示記憶装置、２…表示装置、１１…表示部、１２…記憶部、１３…通信部、２１…情報取得部、２２…判別部、２３…表示制御部、２４…表示部、２５…表示位置設定部、４１…表示位置設定ボタン。
【図１】
2005044307.tif 000003
【図２】
2005044307.tif 000004
【図３】
2005044307.tif 000005
【図４】
2005044307.tif 000006
【図５】
2005044307.tif 000007
【図６】
2005044307.tif 000008
【図７】
2005044307.tif 000009